(57)【特許請求の範囲】
【請求項１】
複数の固定端子を保持する絶縁性のケースと、前記ケースを覆うカバーと、前方当接壁及び後方当接壁を有し、前記ケースに収納されて左右に摺動するスライダーと、前記スライダーの前記カバー側に配置され外部へ突出する摘み部と、前記スライダー内に保持される保持部と前記保持部から延出し前記スライダーの下部に配置される薄板部とを有し、前後左右に摺動する操作部材と、前記スライダーを左右方向へ付勢する第一のバネ部材と、前記摘み部を外部へ突出する方向へ付勢する第二のバネ部材と、前記操作部材の摺動によって前記固定端子と接続する可動接片とを有し、前記第一のバネ部材は前記ケースに収納され、前記第二のバネ部材は前記後方当接壁と前記操作部材との間に位置して前記操作部材を前記前方当接壁に当接するように付勢することを特徴とするプッシュスライドスイッチ。
【請求項２】
前記ケースの内底面の両側に前記スライダーの摺動方向と平行にリブを形成し、前記保持部の側面を前記スライダーの前記側面と対向する内壁面に接近または当接させることを特徴とする請求項１記載のプッシュスライドスイッチ。
【請求項３】
前記操作部材には突起を形成し、前記カバーには前記突起を受け入れる凹所を形成したことを特徴とする請求項１記載のプッシュスライドスイッチ。
【発明の詳細な説明】
【０００１】
【発明の属する技術分野】
本発明は、プッシュスライドスイッチに関するものであり、さらに詳しくは、一つの摘みの操作によってプッシュスイッチとしてもスライドスイッチとしても使用できるプッシュスライドスイッチに関するものである。
【０００２】
【従来の技術】
図９、図１０は、従来のプッシュスライドスイッチ１００を示したものである。従来のプッシュスライドスイッチ１００は、操作部材１０１、スライダー１０２、カバー１０３、球体１０４ａ，１０４ｂ，１０４ｃ、バネ部材１０５ａ，１０５ｂ，１０５ｃ、固定端子１０６、プッシュスイッチ用可動接片１０７、スライドスイッチ用可動接片１０８、基板１０９からなら。操作レバー１０１は、外部に突出する摘み１１０を有しており、バネ部材１０５を収納保持するための孔１１１が形成されている。また、操作レバー１０１の中間部には、可動接片１０７がかしめによって一体に固定されている。
【０００３】
スライダー１０２には、スライドスイッチ用可動接片１０８を収納する収納部１１２が形成されており、また、組み立てた際に孔１１１に連続するように孔１１３ａ，１１３ｂ，１１３ｃが形成されている。孔１１３ａ，１１３ｂ，１１３ｃの内径は、球体１０４ａ，１０４ｂ，１０４ｃの直径よりも若干小さく形成されており、球体１０４ａ，１０４ｂ，１０４ｃが孔１１３ａ，１１３ｂ，１１３ｃ内部に入り込まないようにしている。孔１１３ａ，１１３ｂ，１１３ｃは、図１２に示すように、３つ形成されている。孔１１３ｂは、操作レバー１０１を前後に摺動させた場合、すなわちプッシュスイッチとして使用する場合に球体１０４ｂを節度凹部１１４ｂに押しつけて不用意に操作レバー１０１が左右に摺動しないようにするとともに、操作レバー１０１が中立位置に復帰したことを伝えるための節度用として形成されている。また、孔１１３ａ、１１３ｃは、スライドスイッチとして使用した場合の節度用に形成されている。
【０００４】
カバー１０３は、上面と側面を覆うものであり、側面には球体１０４ａ，１０４ｂ，１０４ｃが落ち込む節度凹部１１４ａ，１１４ｂ，１１４ｃが複数形成されている。
【０００５】
基板１０９には、複数の固定端子１０６が固定されており、各々の固定端子１０６には、スライドスイッチ用可動接片１０８とプッシュスイッチ用可動接片１０７が圧接して接続する。固定端子１０６は、回路基板（図示省略）に半田付けされる。
【０００６】
このような、プッシュスライドスイッチ１００は、操作レバー１０１を左右方向（図１１中紙面に対して手前と奥の方向）に摺動させた場合には、スライドスイッチ用可動接片１０８が選択的に複数の固定端子１０６と接続したり接続が切れたりする。この際に、操作レバー１０１とスライダー１０２が一体に摺動し、これに追従して球体１０４ａ，１０４ｂ，１０４ｃもカバー１０３の内側面上を摺動する。そして、球体１０４ａ，１０４ｃが節度凹部１１４ａ，１１４ｃに落ち込むことによってスイッチの切り替えに応じた節度感が得られる。一方、操作レバー１０１を後方（図１１中右方向）に摺動させた場合には、バネ部材１０５bが収縮して球体１０４ｂを節度凹部１１４ｂに押しつけることによって、不用意に操作レバー１０１が左右方向に移動しないようにしている。また、プッシュスイッチ用可動接片１０７が、固定端子１０６に圧接して接続され、プッシュスイッチがオンする。操作レバー１０１を後方へ押圧する力を取り除くと、操作レバー１０１はバネ部材１０５ｂの復帰力によって前方へ摺動して、プッシュスイッチ用可動接片１０７と固定端子１０６との接続が離れてプッシュスイッチがオフする。また、球体１０４ｂの節度凹部１１４ｂに対する押圧力も弱くなるため、操作レバー１０１を左右方向へ摺動させるのが容易となる。
【０００７】
【発明が解決しようとする課題】
しかしながら従来のプッシュスライドスイッチ１００は、操作レバー１０１を左右に摺動させる場合、すなわちスライドスイッチとして使用する場合にも球体１０４ｂがカバー１０３の内壁面上を摺動するため、操作力が重くなるという問題があった。さらに、スライダーを左右方向へ摺動させた後に中立位置に自動復帰させる場合には、バネ部材１０５ｂのバネ力の影響を考慮して中立位置復帰用バネの強さを決めないといけないため、中立位置復帰用のバネ力を大きくしなければならない。そのために、バネの自然長を長くする等によりスイッチ全体が大型化してしまい、また操作力が重くなるという問題があった。このような問題を解決するために、孔１１３ｂの後端を塞いで球体１０４ｂをなくする方法もあるが、この場合には、孔１１３ｂを塞いだ壁の前方側にバネ部材１０５ｂを位置決めするためのボスを形成しなければいけないため、大型化してしまうという問題が生じるとともに、プッシュスイッチとして使用している最中に誤ってスライドスイッチが動作してしまう恐れがあるという問題も生じる。
【０００８】
一方、ディスプレイ上のカーソルを遠隔操作により移動して所望のメニュを選択して決定する場合には、カーソルを移動するスライド操作と、メニュを決定するプッシュ操作が一つの摘みで行えると使い勝手が良い。しかし、このような一つの摘みで操作する場合には、スライド操作中に誤ってプッシュ操作を行う可能性があり、その場合にはカーソルが所望のメニュ上に移動しないうちに決定の信号が送信されてしまうため、自分が希望する操作が行えず自分が意図しない操作が行われて誤動作してしまうという問題がある。
【０００９】
本発明の目的は、小型化が可能で、軽操作力であり、誤動作することのないプッシュスライドスイッチを提供するものである。
【００１０】
【課題を解決するための手段】
本発明は、複数の固定端子を保持する絶縁性のケースと、前記ケースを覆うカバーと、前方当接壁及び後方当接壁を有し、前記ケースに収納されて左右に摺動するスライダーと、前記スライダーの前記カバー側に配置され外部へ突出する摘み部と、前記スライダー内に保持される保持部と前記保持部から延出し前記スライダーの下部に配置される薄板部とを有し、前後左右に摺動する操作部材と、前記スライダーを左右方向へ付勢する第一のバネ部材と、前記摘み部を外部へ突出する方向へ付勢する第二のバネ部材と、前記操作部材の摺動によって前記固定端子と接続する可動接片とを有し、前記第一のバネ部材は前記ケースに収納され、前記第二のバネ部材は前記後方当接壁と前記操作部材との間に位置して前記操作部材を前記前方当接壁に当接するように付勢することを特徴とする。
【００１１】
操作部材を左右に摺動するとスライダーが操作部材と一緒に左右方向へ摺動し、可動接片が固定端子と接続する。一方、操作部材をバネ部材の付勢力に抗して後方へ押し込むと、バネ部材はスライダーの後方当接壁と操作部材との間で収縮して可動接片が固定端子に接続する。操作部材の後方への押圧をやめるとバネ部材の復帰力によって操作部材は前方当接壁と当接するまで復帰して、可動接片と固定端子との接続が解除される。
【００１２】
更に、前記ケースの内底面の両側に前記スライダーの摺動方向と平行にリブを形成し、前記保持部の側面を前記スライダーの前記側面と対向する内壁面に接近または当接させることを特徴とする。
【００１３】
操作部材の保持部は、初期状態でリブより前方側に位置しているが、操作部材を後方へ押圧した場合にはリブとリブの隙間を通過してさらに後方へ摺動することができる。操作部材の後方への押圧をやめると、バネ部材の復帰力によって操作部材が前方へ復帰し、保持部材がリブとリブの隙間を通過して操作部材が初期位置に復帰する。一方、操作部材を左右に摺動した場合には、操作部材の保持部はリブよりも前方側に位置しており、リブと平行に摺動する。左右へ摺動した状態で操作部材を後方へ押圧した場合には、保持部の一部がリブに当たってそこを支点に回転しようとするが、保持部の側面がスライダーの内壁面に当接して保持部はそれ以上後方へは移動できず、操作部材の後方への移動も阻止される。したがって、スライドスイッチとして使用している最中にプッシュスイッチがオンされることが防止でき、誤動作を防止できる。
【００１４】
更に、前記操作部材には突起を形成し、前記カバーには前記突起を受け入れる凹所を形成したことを特徴とする。
【００１５】
操作部材を後方へ押圧した際には、突起が凹所内に入り込むため、操作部材の押圧ができ、可動接片と固定端子が接続する。操作部材を左右方向へ摺動した後に後方へ押圧した際には、突起がカバーの側縁に当接して押圧できないため、スライドスイッチとして使用している最中にプッシュスイッチがオンされることが防止でき、誤動作を防止できる。
【００１６】
【発明の実施の形態】
以下本発明の実施の形態を図面を参照して詳細に説明する。図１乃至図８は、本発明の実施の形態を示したものであり、図１はプッシュスライドスイッチ１の平面図、図２はプッシュスライドスイッチ１の側面図、図３はカバー９を取り除いた状態の平面図、図４は図１のＡ−Ａ線断面図、図５は操作部材２の平面図、図６は操作部材２の正面図、図７はスライダー４の平面図、図８は図７のＡ−Ａ線断面図である。スイッチ１は、操作部材２、ケース３、スライダー４、第一のバネ部材５、プッシュスイッチ用可動接片６、スライドスイッチ用可動接片７、固定端子８、カバー９からなる。
【００１７】
操作部材２は、全体略逆Ｔ字状であり、外部へ突出する摘み部１７と、後述するスライダー４内に収納される保持部１１、第二のバネ部材１０の前方（図４中左方向）が収縮自在に遊嵌するとともに第二のバネ部材１０の位置決めとなる保持孔１２が形成されている。保持孔１２の前方端は、第二のバネ部材１０が当接する垂直な壁１５が形成されている。また、保持部１１の側面にはストッパー壁１６が形成されており、また幅の薄い薄板部１８が形成されている。
【００１８】
ケーズ３は、略箱型であり、第一のバネ部材５の収納部２２が形成されている。また、ケース３の両端より左右方向と平行な方向であって中央に向かって、リブ２３ａ，２３ｂが形成されている。リブ２３ａの右側壁とリブ２３ｂの左側壁との間隔ｈは、保持部１１の幅ｉより若干大きくなっている。また、ケース３には、内底面に一部が露出するように固定端子８が一体成形によって固定されている。
【００１９】
スライダー４は、全体略ロ字状であり、その内部は操作部材２の保持部１１が収納される収納部３０になっている。収納部３０の長手方向の長さｌは、保持部１１のストッパー壁１６間の長さｍよりも若干大きいか若しくは略同一幅になっている。スライダー４には、上面に開孔した保持溝３２が形成されており、保持溝３２と対向する部分には同じく上面に開孔した溝３３が形成されている。保持溝３２は、第二のバネ部材１０の後方を伸縮自在に遊嵌するものであり、保持溝３２の後端は、第二のバネ部材１０の後端が当接する後方当接壁３５になっている。溝３３は、摘み部１７を位置決めガイドするものである。スライダー４の前方側の内側壁は、組み立てた際の初期状態で操作部材２が当接する前方当接壁３４になっている。また、左右の内壁面は、保持部１１が当接する被ストッパー壁３１になっている。また、スライダー４の下方には、第一のバネ部材５の位置決めガイドとなるガイド溝３６が形成されている。ガイド溝３６は円弧状に形成されている。また、左右の内側壁下方には、切り欠き３８が形成されている。切り欠き３８の幅ｎは、操作部材２の薄板部１８の幅ｏとリブ２３の幅ｐを足した幅より大きくなっている。また、操作部材２の薄板部１８はスライダー４の下部に配置されているため、例えば操作部材２をこじった場合には、スライダー４によって上下方向の動きが抑えられるため薄板部１８は僅かしか動かず、操作部材２を安定して保持することができる。また、スライダー４の下方には、第一のバネ部材５の略中間に挿入されて操作部材２の中立位置への復帰のための、付勢片３７が形成されている。
【００２０】
カバー９は、金属板材をプレス加工したものであり、ケース３に係合して固定される。第一のバネ部材５はコイルバネであり、操作部材２の左右方向すなわちスライドスイッチとして使用する場合の、中立位置復帰用のものである。なお、ここで中立位置とは、摘み部１７がプッシュスライドスイッチ１の略中央にあるときの位置（図１の状態）をいう。第二のバネ部材１０はコイルバネである。プッシュスイッチ用可動接片６とスライドスイッチ用可動接片７は、ともに金属板をプレス加工して形成したものであり、固定端子８に圧接接続する接点５０が各々複数形成されている。
【００２１】
このようなプッシュスライドスイッチ１は、まず最初に、予め固定端子８を一体成形して固定したケース３の上方より、第一のバネ部材５を挿入する。次に、予めプッシュスイッチ用可動接片６を固定した操作部材２及び第二のバネ部材１０を、予めスライドスイッチ用可動接片７を固定したスライダー４に挿入する。この際に、操作部材２の保持部１１を収納部３０内に収納し、第二のバネ部材１０を収縮させながら壁１５と後方当接壁３５の間に挿入する。挿入が完了すると、操作部材２は第二のバネ部材１０の付勢力によって前方当接壁３４に当接して仮保持された状態になる。なお、操作部材２及び第二のバネ部材１０の挿入は、溝３３及び保持溝３２が何れも上方に開孔しているため容易である。次に、仮保持によって一体化した操作部材２、第二のバネ部材１０及びスライダー４を、ケース３に上方より挿入する。次に、カバー９を上方より被せた後、ケースに係合させて固定する。これによって、第一のバネ部材５がガイド溝３６に適正にガイドされる。また、保持部１１のストッパー壁１６が、スライダー４の被ストッパー壁３１に接近若しくは当接した状態となる。
【００２２】
このように組み立てられたプッシュスライドスイッチ１の動作について説明する。最初に、摘み部１７を左右に動かした場合、すなわちスライドスイッチとして使用した場合について説明する。摘み部１７を動かすと、第一のバネ部材５が付勢片３７を境に、一方が収縮する。また、スライダー４が、保持部１１に押されて操作部材２と同一方向へ移動する。これによって、スライドスイッチ用可動接片７が移動して、固定接点８との接続が切り替わる。摘み部１７の左右方向に加えている力を取り除くと、第一のバネ部材５のバネ復帰力により、操作部材２が中立位置に復帰して、プッシュスイッチ用可動接片７と固定端子８との接続が切り替わる。この時にスライダー４には、操作部材２と接している部分に左右方向の進行方向への力が加わるが、スライダー４は略ロ字状であるため、スライダー４が拡開することがない。なお、保持部１１はリブ２３ａ，２３ｂより前方側にあり、左右に動かした場合にはリブ２３ａ，２３ｂの前方側でリブ２３ａ，２３ｂと平行に移動する。次に、摘み部１７を前後に動かした場合、すなわちプッシュスイッチとして使用した場合について説明する。摘み部１７を動かすと、保持部１１が第二のバネ部材１０を後方へ押圧し、第二のバネ部材１０が収縮して、プッシュスライドスイッチ用可動接片６が移動して、固定接点８との接続が切り替わる。摘み部１７の後方への押圧力を取り除くと、第二のバネ部材１０のバネ復帰力により、操作部材２が前方当接壁３４に当接するまで前方へ復帰する。なお、保持部１１は、初期状態でリブ２３ａ，２３ｂより前方側にあるが、操作部材２の押圧によってリブ２３ａ，２３ｂの間を通過し、リブ２３ａ，２３ｂより後方側へ移動する。そして、操作部材２の押圧を解除すると、保持部１１はリブ２３ａ，２３ｂの間を通過してリブ２３ａ，２３ｂより前方側へ移動する。次に、摘み部１７を左右方向へ動かした後に後方へ押圧した場合について説明する。摘み部１７を左右方向へ動かす場合は前述の通りであり、保持部１１はリブ２３ａ，２３ｂよりも前方側にある。その後に後方へ押圧すると、保持部１１の後端の略半分がリブ２３ａ若しくはリブ２３ｂに当接する。この状態からさらに後方へ押圧すると、操作部材２は保持部１１とリブ２３ａ若しくはリブ２３ｂとが当接している部分を支点として回転しようとするが、操作部材２のストッパー壁１６がスライダー４の被ストッパー壁３１に当接して操作部材２の回転を阻止する。したがって、操作部材２をそれ以上後方へ押圧することができず、プッシュスイッチ用可動接片６が固定接点８と接続することもない。なお、摘み部１７を後方へ押圧した後に左右方向へ移動しようとする際にも、保持部１１の薄板部１８の側壁がリブ２３ａ若しくはリブ２３ｂと当接して、左右方向へは移動できないようになっている。本発明の実施の形態では、薄板部１８がリブ２３ａ，２３ｂと当接するようにしているが、薄板部１８がない場合または薄板部１８があっても、保持部１１の薄板部１８以外の部分がリブ２３ａ，２３ｂと当接するようにして、操作部材２の後方への押圧を阻止するようにしても良い。
【００２３】
このようなプッシュスライドスイッチ１は、摘み部１７を後方へ押圧しなければ左右方向への摺動時に第二のバネ部材１０の影響は受けないので、左右方向への摺動操作の際に軽操作力とすることができる。また、組み立ての際に、スライダー４に操作部材２と第二のバネ部材１０を仮保持できるので、組立性が良い。また、スライダー４が略ロ字状なので、摘み部１７を左右方向に移動させる時にスライダー４に加わる左右方向への力によってスライダー４が拡開することがなく、操作部材２が傾いて左右方向への移動が円滑に行えないという恐れがない。また、スライダー４の内側壁は、摘み部１７を左右方向へ移動した後に後方へ押圧した際に、保持部１１のストッパー壁１６が当接して操作部材２の後方への移動を阻止するため、操作者が摘み部１７を左右方向へ移動している最中に誤って操作摘み１７を後方へ押圧してしまい、プッシュスイッチ用可動接片６が固定接点８に接続して誤動作することがない。また、左右方向への移動時に押圧できなくする機構をプッシュスライドスイッチ１内部に形成することができるので、外部にこのような機構を設ける場合（例えばケース３とカバー９若しくは操作部材２に凹凸を設ける場合）に比べて内部への塵や埃等の進入が防げ、また、半田付け時のフラックスの進入を防ぐことができる。また、薄板部１８は、スライダー４の下部に配置されるので、その動きが規制されるため、操作部材２をこじっても操作部材２が下方へ傾いたりがたつくことがなく、操作性が良好であるとともに、安定した電気的接続が得られる。すなわち、薄板部１８は、操作摘み１７の左右方向への移動時に後方への押圧操作を阻止する作用と操作部材２の傾きやがたつきを防ぐ作用の両方の作用を有する。
【００２４】
図９、図１０は、本発明の第二の実施の形態を示したものである。プッシュスライドスイッチ５０の操作部材５２に突起６０を形成し、カバー５１に凹所６１を形成し、ケース５２にリブをなくした以外は、第一の実施例とほぼ同一構成である。操作部材５２を左右方向へ移動した後に後方へ押圧すると、突起６０がカバー５１の前端に当接して、後方へは押圧できない。一方、中立位置で操作部材５２を後方へ押圧すると、突起６０が凹所６１に入り込んで後方への押圧が可能となる。なお、他の構成は第一の実施の形態とほぼ同一構成であるため、その説明を省略する。突起６０と凹所６１を形成した場合には、リブ２３ａ，２３ｂを無くすることが望ましい。
【００２５】
第二の実施の形態によれば、操作者が目視にて左右方向への移動時には後方への押圧ができないことがわかるため、操作者がスライドスイッチとして使用している最中に無理にプッシュ動作を行って破損してしまう等の事故を防止することができる。
【００２６】
尚、本発明は上記実施の形態に限定されるものではなく、本発明の範囲内で種々の変形が考えられる。例えば、本発明は、保持部１１に薄板部１８を形成したが、必ずしも薄板部１８を形成する必要はなく、薄板部１８をなくしても良い。なお、この場合にはリブ２３ａ，２３ｂをもう少し中央方向へ延長すれば良い。また、本発明は、第一のバネ部材５を設けたが、必ずしも第一のバネ部材５は必要なく、摘み部１７を中立位置に復帰させる必要がなければ第一のバネ部材５を取り除いても良い。また、本発明は、後方への押圧阻止のためのリブ２３ａ，２３ｂを左右方向と平行な方向に連続して形成したが、必ずしもリブを連続して形成する必要はなく、リブを形成した位置であって中立位置の時のスライダー４の近傍にリブの代わりに突起等を形成しても本発明と同様の効果が得られる。
【００２７】
【発明の効果】
以上説明したように本発明のプッシュスライドスイッチは、摘み部を後方へ押圧しなければ、左右方向へ摺動中にバネ部材の影響を受けることはないため、軽操作力であるとともに小型化できる。また、左右方向への摺動中に下方へ押圧できない機構を設けた場合には、操作者が意図しない誤動作を防止することができ、操作性が良い。また、左右方向への摺動中に下方へ押圧できない機構を内部に形成した場合には、塵埃が内部に進入することがないため防塵効果を高めることができる。また半田付け時にフラックスが内部に進入して、固定端子等が短絡してしまう等の事故を防止することができる。また、左右方向への摺動中に下方へ押圧できない機構を操作者が目視できる位置に形成した場合には、操作者がスライドスイッチとして使用している最中に無理にプッシュ動作を行って破損してしまう等の事故を防止することができる。
【図面の簡単な説明】
【図１】本発明に係るプッシュスライドスイッチ１の平面図
【図２】本発明に係るプッシュスライドスイッチ１の側面図
【図３】カバー９を取り除いた状態のプッシュスライドスイッチ１の平面図
【図４】図１のＡ−Ａ線断面図
【図５】操作部材２の平面図
【図６】操作部材２の正面図
【図７】スライダー４の平面図
【図８】図７のＢ−Ｂ線断面図
【図９】本発明の第二の実施の形態に係るプッシュスライドスイッチ５０の平面図
【図１０】図９のＣ−Ｃ線断面図
【図１１】従来のプッシュスライドスイッチ１００の縦断面図
【図１２】従来のプッシュスライドスイッチ１００の横断面図
【符号の説明】
１、５０ プッシュスライドスイッチ
２、５２ 操作部材
３ ケース
４ スライダー
５ 第一のバネ部材
６ プッシュスイッチ用可動接片
７ スライドスイッチ用可動接片
８ 固定端子
９、５１ カバー
１０ 第二のバネ部材
１１ 保持部
１６ ストッパー壁
１７ 摘み部
１８ 薄板部
２３ａ，２３ｂ リブ
３０ 収納部
３１ 被ストッパー壁
３４ 前方当接壁
３５ 後方当接壁
３６ 切り欠き
６０ 突起
６１ 凹所
【図１】
0004170551.tif 000002
【図２】
0004170551.tif 000003
【図３】
0004170551.tif 000004
【図４】
0004170551.tif 000005
【図５】
0004170551.tif 000006
【図６】
0004170551.tif 000007
【図７】
0004170551.tif 000008
【図８】
0004170551.tif 000009
【図９】
0004170551.tif 000010
【図１０】
0004170551.tif 000011
【図１１】
0004170551.tif 000012
【図１２】
0004170551.tif 000013